(57)【特許請求の範囲】
【請求項１】
カラー映像信号をＦＭ変調したＦＭ映像信号を送信するＦＭ映像送信器と、前記ＦＭ映像信号を中継増幅する増幅部を有する増幅器と、前記ＦＭ映像信号を受信してカラー映像信号にＦＭ復調するＦＭ映像受信器とを有するＦＭカラー映像伝送システムにおいて、前記増幅器は、ＦＭ映像信号を中継増幅する中継増幅器、及びＦＭ映像信号を中継増幅して中継増幅器とＦＭ映像受信器とに直流電源を供給する電源部を有する中央制御器であり、前記ＦＭ映像受信器は、増幅器の挿入により発生するカラー映像信号の色位相回転の方向と逆方向に、増幅器の台数に応じて色位相を補正する色位相制御部を備えることを特徴とするＦＭカラー映像伝送システム。
【請求項２】
色位相制御部は、増幅器の挿入により発生するカラー映像信号の色位相回転の方向と逆方向に、予めシステムの１幹線に挿入される増幅器の最大台数に応じて色位相を一定量補正することを特徴とする請求項１記載のＦＭカラー映像伝送システム。
【請求項３】
ＦＭ映像受信器は、施工者が増幅器の台数を入力する台数入力部を備え、色位相制御部は、増幅器の挿入により発生するカラー映像信号の色位相回転の方向と逆方向に、前記台数入力部により入力された増幅器の台数に応じて色位相を一定量補正することを特徴とする請求項１記載のＦＭカラー映像伝送システム。
【請求項４】
中央制御器は、施工者が増幅器の台数を入力する台数入力部と、前記増幅器の台数を報知するコマンドを送信するコマンド送信部とを備え、ＦＭ映像受信器は、増幅器の台数を報知するコマンドを受信するコマンド受信部を備え、色位相制御部は、増幅器の挿入により発生するカラー映像信号の色位相回転の方向と逆方向に、前記ＦＭ映像受信器のコマンド受信部で受信した増幅器の台数を報知するコマンドにより報知された増幅器の台数に応じて色位相を一定量補正することを特徴とする請求項１記載のＦＭカラー映像伝送システム。
【請求項５】
中央制御器は、中継増幅器及びＦＭ映像受信器に供給している直流電源の電流量を検知する供給電流量検知部と、前記電流量により検出した中継増幅器の台数に基づいた増幅器の台数を報知するコマンドを送信するコマンド送信部とを備え、ＦＭ映像受信器は、増幅器の台数を報知するコマンドを受信するコマンド受信部を備え、色位相制御部は、増幅器の挿入により発生するカラー映像信号の色位相回転の方向と逆方向に、前記ＦＭ映像受信器のコマンド受信部で受信した増幅器の台数を報知するコマンドにより報知された増幅器の台数に応じて色位相を一定量補正することを特徴とする請求項１記載のＦＭカラー映像伝送システム。
【請求項６】
中央制御器よりも後段に接続され、中継増幅器及びＦＭ映像受信器へ直流電源を供給するローカル電源とＦＭ映像信号を中継増幅する増幅部とを有して増幅器を構成する中継制御器を備え、前記中継制御器は、前記ローカル電源から中継増幅器及びＦＭ映像受信器に供給している電流量を検出する供給電流量検知部と、前記中央制御器または前段の中継制御器が送信する増幅器の台数を報知するコマンドを受信するコマンド受信部と、前記ローカル電源から供給している電流量により検出した中継増幅器の台数に基づいた増幅器の台数に前記中央制御器または前段の中継制御器が送信するコマンドが報知する増幅器の台数を加えた増幅器の台数を報知するコマンドを送信するコマンド送信部とを備えることを特徴とする請求項１または５記載のＦＭカラー映像伝送システム。
【請求項７】
中央制御器は、増幅器の台数は１台であることを報知するコマンドを送信するコマンド送信部を備え、中継増幅器は、中央制御器または前段の中継増幅器が送信する増幅器の台数を報知するコマンドを受信するコマンド受信部と、コマンド受信部にて受信したコマンドにより報知された増幅器の台数に１を加えた台数を報知するコマンドを送信するコマンド送信部とを備え、ＦＭ映像受信器は、増幅器の台数を報知するコマンドを受信するコマンド受信部を備え、色位相制御部は増幅器の挿入により発生するカラー映像信号の色位相回転の方向と逆方向に、前記ＦＭ映像受信器のコマンド受信部で受信した増幅器の台数を報知するコマンドにより報知された増幅器の台数に応じて色位相を一定量補正することを特徴とする請求項１記載のＦＭカラー映像伝送システム。
【発明の詳細な説明】
【０００１】
【発明の属する技術分野】
本発明は、戸建て住宅や集合住宅に用いるテレビインターホンなどに使用するＦＭカラー映像伝送システムに関するものである。
【０００２】
【従来の技術】
図７に、従来のＦＭカラー映像伝送システムの一例として、一般的な集合住宅用途のテレビインターホンシステムにおけるＦＭカラー映像伝送システムの構成を示す。一般的な集合住宅用途のテレビインターホンシステムは、ロビーまたは玄関にいる来訪者をカメラ付き玄関インターホンで撮像することにより、各住戸内のモニタで来訪者を確認することができる。
【０００３】
図７においては、カメラ付き玄関インターホンをＦＭ映像送信器１０と表し、住戸内のモニタをＦＭ映像受信器４０と表す。ＦＭ映像送信器１０は、カメラ部１０１と、ＦＭ変調部１０２と、送信アンプ部１０３とから構成され、カメラ部１０１で撮像された映像はカラー映像信号としてＦＭ変調部１０２へ出力され、ＦＭ変調部１０２はカラー映像信号をＦＭ変調したＦＭ映像信号を送信アンプ部１０３に出力し、送信アンプ部１０３はＦＭ映像信号を２線平衡ケーブル６０を介して中央制御器２０に送信する。
【０００４】
中央制御器２０は、ＦＭ映像信号を中継増幅すると共に、中継増幅器３０及びＦＭ映像受信器４０に直流電源を供給し、ＦＭ映像信号増幅部２０１と、電源部２０２と、内部電源２０３と、直流重畳部２０４とから構成される。ＦＭ映像信号増幅部２０１は２線平衡ケーブル６０を介して入力されたＦＭ映像信号の伝送帯域外成分を除去すると共に、ＦＭ映像信号を増幅する。電源部２０２は、交流電源を直流電源に変換し、内部電源２０３は直流電源を中央制御器２０の内部回路に供給し、直流重畳部２０４は中継増幅器３０及びＦＭ映像受信器４０に供給する直流電源をＦＭ映像信号に重畳させる。
【０００５】
中央制御器２０から出力されたＦＭ映像信号は、２線平衡ケーブル６０を伝送し、分岐器５０を介して幹線から分岐してＦＭ映像受信器４０に入力される。ＦＭ映像受信器４０は、表示部４０１と、ＦＭ復調部４０２と、受信アンプ部４０３と、直流分離部４０４と、内部電源４０５とから構成され、ＦＭ映像信号を受信してカラー映像信号に復調し、玄関またはロビーの来訪者の映像を表示する。ＤＣ分離部４０４は、ＦＭ映像信号に重畳された直流電源を分離し、内部電源４０５は分離した直流電源をＦＭ映像受信器４０の内部回路に供給し、受信アンプ部４０３は受信したＦＭ映像信号を増幅し、ＦＭ復調部４０２は受信アンプ部４０３で増幅したＦＭ映像信号をベースバンドのカラー映像信号に復調し、表示部４０１はカラー映像信号に基づいた映像を表示する。
【０００６】
長距離伝送を行う場合は、中継増幅器３０を幹線に挿入する。中継増幅器３０は直流分離部３０２と、ＦＭ映像信号増幅部３０１と、内部電源３０３と、直流重畳部３０４とから構成され、ＦＭ映像信号の中継増幅を行う。直流分離部３０２はＦＭ映像信号に重畳された直流電源を分離し、内部電源３０３は分離した直流電源を中継増幅器３０の内部回路に供給し、ＦＭ映像信号増幅部３０１はＦＭ映像信号の伝送帯域外成分を除去すると共に、ＦＭ映像信号を増幅し、直流重畳部３０４は中継増幅器３０及びＦＭ映像受信器４０に供給する直流電源をＦＭ映像信号に重畳させる。
【０００７】
中継増幅器３０から出力されたＦＭ映像信号は、２線平衡ケーブル６０を伝送し、前記同様に分岐器５０を介して幹線から分岐してＦＭ映像受信器４０に入力される。以後、さらに長距離の伝送を行う場合は、前記同様に中継増幅器３０を幹線に挿入し、分岐器５０を介してＦＭ映像受信器４０を接続する。
【０００８】
【発明が解決しようとする課題】
前記従来のＦＭカラー映像伝送システムでは、中央制御器２０及び中継増幅器３０のＦＭ映像信号増幅部２０１、３０１は、図８のＦＭ映像信号増幅部１に示すように平衡−不平衡変換部２と、入力フィルタ部３と、アンプ部４と、出力フィルタ部５と、不平衡−平衡変換部６とから構成される。ここで、平衡−不平衡変換部２は平衡−不平衡変換するためのトランスであり、入力フィルタ部３はＦＭ映像信号の伝送帯域外成分の除去を行い、アンプ部４はＦＭ映像信号を増幅し、出力フィルタ部５はＦＭ映像信号の伝送帯域外成分を抑制し、不平衡−平衡変換部６は不平衡−平衡変換するためのトランスである。
【０００９】
しかし、入力フィルタ部３及び出力フィルタ部５による位相変化や、アンプ部４の飽和による利得・位相特性の変化により、ＦＭ映像信号の伝送特性が変化する。そのために、ＦＭ映像信号増幅部１を有する増幅器である中央制御器２０及び中継増幅器３０を縦続接続し、ＦＭ映像信号を増幅して伝送する場合、増幅器の台数の増加に伴い、ＦＭ映像信号をＦＭ映像受信器４０で復調したカラー映像信号の色位相がずれていくという問題があった。図９は色位相ずれをベクトルスコープ上に示しており、赤、マゼンタ、青、シアン、緑、黄等の各色の位相が増幅器を通過することで円周方向に回転し、各色の許容範囲を外れ、例えばシアンが緑がかったり、黄色が赤っぽくなるなど、表示される画像の色の不自然さを生じる。
【００１０】
本発明は、上記事由に鑑みてなされたものであり、その目的は、カラーのＦＭ映像信号を縦続接続した複数の中継増幅器により増幅して伝送する場合に、増幅器の振幅特性及び位相特性からなる通過特性により発生する色位相ずれを補正可能なＦＭカラー映像伝送システムを提供することにある。
【００１１】
【課題を解決するための手段】
請求項１の発明は、カラー映像信号をＦＭ変調したＦＭ映像信号を送信するＦＭ映像送信器と、前記ＦＭ映像信号を中継増幅する増幅部を有する増幅器と、前記ＦＭ映像信号を受信してカラー映像信号にＦＭ復調するＦＭ映像受信器とを有するＦＭカラー映像伝送システムにおいて、前記増幅器は、ＦＭ映像信号を中継増幅する中継増幅器、及びＦＭ映像信号を中継増幅して中継増幅器とＦＭ映像受信器とに直流電源を供給する電源部を有する中央制御器であり、前記ＦＭ映像受信器は、増幅器の挿入により発生するカラー映像信号の色位相回転の方向と逆方向に、増幅器の台数に応じて色位相を補正する色位相制御部を備えることを特徴とし、カラーのＦＭ映像信号を縦続接続した複数の中継増幅器により増幅して伝送する場合に、増幅器の振幅特性及び位相特性からなる通過特性により発生する色位相ずれを補正して、カラー映像信号の色位相を各色の許容範囲内に収めることができ、原画像と同様の自然な色を再現することができる。
【００１２】
請求項２の発明は、請求項１の発明において、色位相制御部は、増幅器の挿入により発生するカラー映像信号の色位相回転の方向と逆方向に、予めシステムの１幹線に挿入される増幅器の最大台数に応じて色位相を一定量補正することを特徴とし、カラーのＦＭ映像信号を縦続接続した複数の中継増幅器により増幅して伝送する場合に、増幅器の挿入最大台数に応じて、増幅器の振幅特性及び位相特性からなる通過特性により発生する色位相ずれを補正して、カラー映像信号の色位相を各色の許容範囲内に収めることができ、原画像と同様の自然な色を再現することができる。
【００１３】
請求項３の発明は、請求項１の発明において、ＦＭ映像受信器は、施工者が増幅器の台数を入力する台数入力部を備え、色位相制御部は、増幅器の挿入により発生するカラー映像信号の色位相回転の方向と逆方向に、前記台数入力部により入力された増幅器の台数に応じて色位相を一定量補正することを特徴とし、施工現場または幹線によって異なる増幅器の挿入台数に応じて、各ＦＭ映像受信器での色位相の調整が可能になる。
【００１４】
請求項４の発明は、請求項１の発明において、中央制御器は、施工者が増幅器の台数を入力する台数入力部と、前記増幅器の台数を報知するコマンドを送信するコマンド送信部とを備え、ＦＭ映像受信器は、増幅器の台数を報知するコマンドを受信するコマンド受信部を備え、色位相制御部は、増幅器の挿入により発生するカラー映像信号の色位相回転の方向と逆方向に、前記ＦＭ映像受信器のコマンド受信部で受信した増幅器の台数を報知するコマンドにより報知された増幅器の台数に応じて色位相を一定量補正することを特徴とし、色位相補正のための操作が中央制御器１箇所で実施でき、施工者の手間を省くことができる。
【００１５】
請求項５の発明は、請求項１の発明において、中央制御器は、中継増幅器及びＦＭ映像受信器に供給している直流電源の電流量を検知する供給電流量検知部と、前記電流量により検出した中継増幅器の台数に基づいた増幅器の台数を報知するコマンドを送信するコマンド送信部とを備え、ＦＭ映像受信器は、増幅器の台数を報知するコマンドを受信するコマンド受信部を備え、色位相制御部は、増幅器の挿入により発生するカラー映像信号の色位相回転の方向と逆方向に、前記ＦＭ映像受信器のコマンド受信部で受信した増幅器の台数を報知するコマンドにより報知された増幅器の台数に応じて色位相を一定量補正することを特徴とし、中央制御器が増幅器の挿入台数を検出し、自動で全てのＦＭ映像受信器に送信することから、施工者による色位相補正の操作を不要とすることができる。
【００１６】
請求項６の発明は、請求項１または５の発明において、中央制御器よりも後段に接続され、中継増幅器及びＦＭ映像受信器へ直流電源を供給するローカル電源とＦＭ映像信号を中継増幅する増幅部とを有して増幅器を構成する中継制御器を備え、前記中継制御器は、前記ローカル電源から中継増幅器及びＦＭ映像受信器に供給している電流量を検出する供給電流量検知部と、前記中央制御器または前段の中継制御器が送信する増幅器の台数を報知するコマンドを受信するコマンド受信部と、前記ローカル電源から供給している電流量により検出した中継増幅器の台数に基づいた増幅器の台数に前記中央制御器または前段の中継制御器が送信するコマンドが報知する増幅器の台数を加えた増幅器の台数を報知するコマンドを送信するコマンド送信部とを備えることを特徴とし、中央制御器が直流電源を供給しない中継制御器及び中継増幅器が接続された場合でも、各ＦＭ映像受信器は、自機が直流電源の供給を受ける中継制御器より前段の増幅器の台数と、自機が直流電源の供給を受ける中継制御器及び自機が直流電源の供給を受ける中継制御器が直流電源を供給している中継増幅器の合計台数に基づいて色位相を補正するので、自機の色位相特性に影響を及ぼす増幅器の台数により近い増幅器の台数を勘案することができ、増幅器の総数に基づいて色位相を補正する場合よりも、より正確に色位相の補正を行うことができる。
【００１７】
請求項７の発明は、請求項１の発明において、中央制御器は、増幅器の台数は１台であることを報知するコマンドを送信するコマンド送信部を備え、中継増幅器は、中央制御器または前段の中継増幅器が送信する増幅器の台数を報知するコマンドを受信するコマンド受信部と、コマンド受信部にて受信したコマンドにより報知された増幅器の台数に１を加えた台数を報知するコマンドを送信するコマンド送信部とを備え、ＦＭ映像受信器は、増幅器の台数を報知するコマンドを受信するコマンド受信部を備え、色位相制御部は増幅器の挿入により発生するカラー映像信号の色位相回転の方向と逆方向に、前記ＦＭ映像受信器のコマンド受信部で受信した増幅器の台数を報知するコマンドにより報知された増幅器の台数に応じて色位相を一定量補正することを特徴とし、各ＦＭ映像受信器は、中央制御器から自機に至るまでに挿入されている増幅器の台数を正確に把握することができ、自機の色位相特性に影響を及ぼす増幅器の台数に基づいて正確に色位相を補正することができる。
【００１８】
【発明の実施の形態】
以下、本発明の実施の形態を図面に基づいて説明する。
【００１９】
（実施形態１）
図１は、本実施形態１のＦＭカラー映像伝送システムの構成を示し、基本的な構成は図７に示す従来例と同様であり、同一の構成要素には同一の符号を付して説明は省略する。
【００２０】
図１に示すＦＭ映像受信機４０の色位相制御部４０６は、ＦＭ復調部４０２から出力されたカラー映像信号の色位相を所望の量だけ可変することができ、増幅器である中央制御器２０及び中継増幅器３０を幹線に挿入することにより発生するカラー映像信号の色位相回転の方向と逆方向に、本システムの１幹線に挿入される増幅器である中央制御器２０及び中継増幅器３０の最大台数に応じた一定量だけ、予め色位相を回転させて、色位相を補正しておく。図１のベクトルスコープは、増幅器の挿入によってカラー映像信号の色位相ずれの方向と、本実施形態１による色位相の補正の方向と、各色の許容範囲とを示す。
【００２１】
また、本システムの１幹線に挿入される中継増幅器の台数はシステム規模によって異なることから、色位相の補正量は対象とするシステムによって異なるので、システム規模に応じて出荷時に色位相制御部４０６で色位相の補正量を設定しておいてもよい。
【００２２】
あるいは、例えば集合住宅を対象としたシステムでは、高層・超高層のシステムは少なく、ほとんどが中低層のシステムであることから、中低層のシステムを対象として増幅器の台数を想定して、出荷時に色位相制御部４０６で色位相の補正量を設定しておいてもよい。
【００２３】
本実施形態１によれば、ＦＭ映像受信器４０の出荷時に予め色位相の補正量を設定しておくことにより、復調したカラー映像信号の色位相を補正して各色の色位相を許容範囲内に収めて、原画像と同様の自然な色を再現することができる。
【００２４】
（実施形態２）
図２は、本実施形態２のＦＭカラー映像伝送システムのＦＭ映像受信器４０を示し、ＦＭ映像受信器４０以外のＦＭカラー映像伝送システムの構成は前記実施形態１を示す図１のＦＭカラー映像伝送システムの構成と同様であるので同一の構成要素には同一の符号を付して説明は省略する。
【００２５】
図２に示すＦＭ映像受信機４０の台数入力部４０８は、施工者が該当のＦＭ映像受信器４０が接続されている幹線に挿入されている増幅器である中央制御器２０及び中継増幅器３０の台数を入力するための操作釦、または操作ダイアルなどの入力機構を備えており、入力された増幅器の台数をＣＰＵ４０７に通知する。ＣＰＵ４０７は、台数入力部４０８からの前記通知に基づいて、ＦＭ復調部４０２から出力されたカラー映像信号の色位相の補正量を決定して、色位相制御部４０６に色位相の補正量を通知し、色位相制御部４０６は通知された補正量だけカラー映像信号の色位相を回転させて、色位相を補正する。ここで、例えば、ＣＰＵ４０７は増幅器の台数に応じた色位相の補正量をＲＯＭに記憶しておいてもよい。
【００２６】
本実施形態２によれば、施工者はＦＭ映像受信器４０を設置する時に、該当のＦＭ映像受信器４０が接続されている幹線に挿入されている増幅器の台数を、台数入力部４０８により入力することで、該当のＦＭ映像受信器４０で復調したカラー映像信号の色位相を、増幅器の台数に応じた一定量補正することができる。
【００２７】
（実施形態３）
図３は、本実施形態３のＦＭカラー映像伝送システムの構成を示し、基本的な構成は図７に示す従来例と同様であり、同一の構成要素には同一の符号を付して説明は省略する。
【００２８】
図３に示す中央制御器２０の台数入力部２０８は、施工者が、幹線に挿入される増幅器である中央制御器２０及び中継増幅器３０の最大台数を入力するための操作釦、または操作ダイアルなどの入力機構を備えており、入力された増幅器の最大台数をＣＰＵ２０７に通知する。ＣＰＵ２０７は、台数入力部２０８からの前記通知に基づいてコマンド送信部２０６に増幅器の最大台数を通知する。コマンド送信部２０６は、ＣＰＵ２０７からの前記通知に基づき増幅器の最大台数を報知するコマンド信号を、接続されている全てのＦＭ映像受信器４０にコマンド信号多重部２０５を介して送信する。コマンド信号多重部２０５は、コマンド信号をＦＭ映像送信器１０から送信されたＦＭ映像信号に多重させるもので、コマンド信号はＦＭ映像信号に多重して送信される。
【００２９】
ＦＭ映像信号に多重した増幅器の最大台数を報知するコマンド信号を受信したＦＭ映像受信器４０は、コマンド信号分離部４０９にてコマンド信号をＦＭ映像信号から分離し、コマンド受信部４０８は分離したコマンド信号を受信して、コマンド信号に基づいた増幅器の最大台数をＣＰＵ４０７に通知する。ＣＰＵ４０７は、コマンド受信部４０８からの前記通知に基づき、ＦＭ復調部４０２から出力されたカラー映像信号の色位相の補正量を決定して、色位相制御部４０６に色位相の補正量を通知し、色位相制御部４０６は通知された補正量だけＦＭ映像信号の色位相を回転させて、色位相を補正する。ここで、例えば、ＣＰＵ４０７は増幅器の最大台数に応じた色位相の補正量をＲＯＭに記憶しておいてもよい。
【００３０】
本実施形態３によれば、施工者はシステム設置時に中央制御器２０において、幹線に挿入される増幅器の最大台数を台数入力部４０８により入力することで、全てのＦＭ映像受信器４０で復調したカラー映像信号の色位相を、増幅器の最大台数に応じた一定量補正することができる。
【００３１】
なお、本実施形態３では、台数入力部２０８、ＣＰＵ２０７、コマンド送信部２０６及びコマンド信号多重部２０５を中央増幅器２０に設けているが、これらをＦＭ映像送信器１０に設けてもよい。
【００３２】
（実施形態４）
図４は、本実施形態４のＦＭカラー映像伝送システムの構成を示し、基本的な構成は図７に示す従来例と同様であり、同一の構成要素には同一の符号を付して説明は省略する。
【００３３】
中継増幅器３０及びＦＭ映像受信器４０の電源は、中央制御器２０の電源部２０２から出力された直流電源を、直流重畳部２０４にてＦＭ映像信号に重畳させて供給されている。したがって、この直流電源の供給量を検出し、その検出結果より中継増幅器３０の挿入台数を把握することができる。
【００３４】
そこで本実施形態４では、中央制御器２０の供給電流量検知部２０９により中継増幅器３０及びＦＭ映像受信器４０への直流電源の供給電流量を検出し、供給電流量検知部２０９は検出した供給電流量をＣＰＵ２０７に通知する。ＣＰＵ２０７は前記通知された供給電流量より中継増幅器の挿入台数を判定し、コマンド送信部２０６に中継増幅器３０の挿入台数を通知する。コマンド送信部２０６は、ＣＰＵ２０７からの前記通知に基づいた中継増幅器３０の挿入台数に中央制御器２０の挿入台数を加えた増幅器挿入台数を報知するコマンド信号を、接続されている全てのＦＭ映像受信器４０にコマンド信号多重部２０５を介して送信する。コマンド信号多重部２０５は、コマンド信号をＦＭ映像送信器１０から送信されたＦＭ映像信号に多重させるもので、コマンド信号はＦＭ映像信号に多重して送信される。
【００３５】
ＦＭ映像信号に多重した増幅器の挿入台数を報知するコマンド信号を受信したＦＭ映像受信器４０は、実施形態３同様にコマンド信号分離部４０９にてコマンド信号をＦＭ映像信号から分離し、コマンド受信部４０８は分離したコマンド信号を受信して、コマンド信号に基づいた増幅器の挿入台数をＣＰＵ４０７に通知する。ＣＰＵ４０７は、コマンド受信部４０８からの前記通知に基づき、ＦＭ復調部４０２から出力されたカラー映像信号の色位相の補正量を決定して、色位相制御部４０６に色位相の補正量を通知し、色位相制御部４０６は通知された補正量だけＦＭ映像信号の色位相を回転させて、色位相を補正する。ここで、例えば、ＣＰＵ４０７は増幅器の挿入台数に応じた色位相の補正量をＲＯＭに記憶しておいてもよい。
【００３６】
本実施形態４によれば、中央制御器２０が増幅器の挿入台数を検出し、自動で全てのＦＭ映像受信器４０に送信することから、施工者による色位相補正の操作を不要とすることができる。
【００３７】
（実施形態５）
図５は、本実施形態５のＦＭカラー映像伝送システムの構成を示し、基本的な構成は図７に示す従来例と同様であり、同一の構成要素には同一の符号を付して説明は省略する。
【００３８】
システムの幹線の最大距離が長く、中継増幅器３０の台数が増えると、中央制御器２０の電源部２０４から中継増幅器３０及びＦＭ映像受信器４０への供給電流量が供給可能電流量を超えるため、中継制御器７０を幹線に挿入して、中継制御器７０が内蔵するローカル電源である電源部７０２によって中継制御器７０より後段の中継増幅器３０及びＦＭ映像受信器４０に電源を供給する。
【００３９】
中継制御器７０は、ＦＭ映像信号増幅部７０１と、電源部７０２と、内部電源７０３と、直流重畳部７０４と、コマンド信号多重部７０５と、コマンド送信部７０６と、ＣＰＵ７０７と、コマンド信号分離部７０８と、供給電流量検知部７０９と、コマンド受信部７１０とから構成され、ＦＭ映像信号増幅部７０１は２線平衡ケーブル６０を介して入力されたＦＭ映像信号の伝送帯域外成分を除去すると共に、ＦＭ映像信号を増幅する。電源部７０２は、交流電源を直流電源に変換し、内部電源７０３は直流電源を中継制御器７０の内部回路に供給し、直流重畳部７０４は中継制御器７０より後段の中継増幅器３０及びＦＭ映像受信器４０に供給する直流電源をＦＭ映像信号に重畳させる。
【００４０】
ここで、中央制御器２０の電源部２０２は、中継制御器７０より後段の中継増幅器３０及びＦＭ映像受信器４０には電源を供給しないので、中央制御器２０は、幹線に挿入される全ての中継増幅器３０の台数を把握することができない。
【００４１】
そこで、中継制御器７０のコマンド信号分離器７０８は、中央制御器２０から送信されるＦＭ映像信号に多重されている中継制御器７０より前段の増幅器の挿入台数を報知するコマンド信号を、ＦＭ多重信号から分離し、コマンド受信部７１０は分離したコマンド信号を受信して、コマンド信号に基づいて中継制御器７０より前段の増幅器の挿入台数をＣＰＵ７０７に通知する。供給電流量検知部７０９は、中継制御器７０より後段の中継増幅器３０及びＦＭ映像受信器４０への直流電源の供給電流量を検出し、ＣＰＵ７０７に通知する。ＣＰＵ７０７は、供給電流量検知部７０９から通知された供給電流量により中継制御器７０より後段の中継増幅器３０の挿入台数を判定するとともに、コマンド受信部７１０から通知された中継制御器７０より前段の増幅器の挿入台数に前記判定した中継制御器７０より後段の中継増幅器３０の挿入台数を加えた挿入台数をコマンド送信部７０６に通知する。コマンド送信部７０６は、ＣＰＵ７０７からの前記通知に基づいた増幅器の挿入台数に中継制御器７０の挿入台数を加えた増幅器の挿入台数の総数を報知するコマンド信号を、中継制御器７０より後段のＦＭ映像受信器４０及び次段の中継制御器７０にコマンド信号多重部７０５を介して送信する。コマンド信号多重部７０５は、コマンド信号をＦＭ映像送信器１０から送信されたＦＭ映像信号に多重させるもので、コマンド信号はＦＭ映像信号に多重して送信される。
【００４２】
また、中継制御器７０より前段のＦＭ映像受信器４０は、中央制御器２０から送信された中継制御器７０より前段の増幅器の挿入台数を報知するコマンド信号を受信する。
【００４３】
ＦＭ映像信号に多重した増幅器の挿入台数の総数を報知するコマンド信号を受信したＦＭ映像受信器４０は、実施形態４同様にコマンド信号分離部４０９にてコマンド信号をＦＭ映像信号から分離し、コマンド受信部４０８は分離したコマンド信号を受信して、コマンド信号に基づいた増幅器の挿入台数の総数をＣＰＵ４０７に通知する。ＣＰＵ４０７は、コマンド受信部４０８からの前記通知に基づき、ＦＭ復調部４０２から出力されたカラー映像信号の色位相の補正量を決定して、色位相制御部４０６に色位相の補正量を通知し、色位相制御部４０６は通知された補正量だけカラー映像信号の色位相を回転させて、色位相を補正する。ここで、例えば、ＣＰＵ４０７は増幅器の挿入台数の総数に応じた色位相の補正量をＲＯＭに記憶しておいてもよい。
【００４４】
本実施形態５によれば、各ＦＭ映像受信器４０は、自機が直流電源の供給を受ける中継制御器３０より前段の増幅器の台数と、自機が直流電源の供給を受ける中継制御器７０及び自機が直流電源の供給を受ける中継制御器７０が直流電源を供給している中継増幅器３０の合計台数に基づいて色位相を補正するので、自機の色位相特性に影響を及ぼす増幅器の台数により近い増幅器の台数を勘案することができ、増幅器の総数に基づいて色位相を補正する場合よりも、より正確に色位相の補正を行うことができる。
【００４５】
（実施形態６）
図６は、本実施形態６のＦＭカラー映像伝送システムの構成を示し、基本的な構成は図７に示す従来例と同様であり、同一の構成要素には同一の符号を付して説明は省略する。
【００４６】
ＦＭ映像送信器１０から各映像受信器４０までの間に挿入されている増幅器の台数は、各映像受信器４０の接続箇所によって異なる。そこで本実施形態６では、中央制御器２０はカラー映像信号の色位相を変化させるＦＭ映像信号増幅部２０１を有している増幅器であることから、中央制御器２０のＣＰＵ２０７は、増幅器の挿入台数は１台であることを通知するコマンド信号をコマンド送信部２０６に送信し、コマンド送信部２０６は、増幅器の挿入台数が１台であることを報知するコマンド信号を、コマンド信号多重部２０５を介して送信する。コマンド信号多重部２０５は、コマンド信号をＦＭ映像送信器１０から送信されたＦＭ映像信号に多重させるもので、このようにしてＦＭ映像信号に多重した前記コマンド信号は、中央制御器２０と次段の中継増幅器３０との間に接続されているＦＭ映像受信器４０と、次段の中継増幅器３０とに送信される。
【００４７】
また、中央制御器２０または前段の中継増幅器３０から送信されるＦＭ映像信号を受信した中継増幅器３０のコマンド信号分離部３０８は、ＦＭ映像信号に多重されている前段までの増幅器の挿入数を報知するコマンド信号を、ＦＭ多重信号から分離し、コマンド受信部３０９は分離した前記コマンド信号を受信して、前段までの増幅器の挿入台数をＣＰＵ３０７に通知する。ＣＰＵ３０７は、前段までの増幅器の挿入台数に１台を加えた台数をコマンド送信部３０６に通知し、コマンド送信部３０６は、ＣＰＵ３０７からの前記通知に基づいた増幅器の挿入台数を報知するコマンド信号を自機と次段の中継増幅器３０との間に接続されているＦＭ映像受信器４０と、次段の中継増幅器３０とにコマンド信号多重部３０５を介して送信する。コマンド信号多重部３０５は、コマンド信号をＦＭ映像送信器１０から送信されたＦＭ映像信号に多重させるものである。
【００４８】
ＦＭ映像信号に多重した各ＦＭ映像受信器４０に至るまでの増幅器の挿入台数を報知するコマンド信号を受信したＦＭ映像受信器４０は、コマンド信号分離部４０９にてコマンド信号をＦＭ映像信号から分離し、コマンド受信部４０８は分離したコマンド信号を受信して、コマンド信号に基づいた各ＦＭ映像受信器４０に至るまでの増幅器の挿入台数をＣＰＵ４０７に通知する。ＣＰＵ４０７は、コマンド受信部４０８からの前記通知に基づき、ＦＭ復調部４０２から出力されたカラー映像信号の色位相の補正量を決定して、色位相制御部４０６に色位相の補正量を通知し、色位相制御部４０６は通知された補正量だけカラー映像信号の色位相を回転させて、色位相を補正する。ここで、例えば、ＣＰＵ４０７は増幅器の挿入台数の総数に応じた色位相の補正量をＲＯＭに記憶しておいてもよい。
【００４９】
本実施形態６によれば、各ＦＭ映像受信器４０は自機に至るまでに挿入されている増幅器の台数を把握することができ、自機の色位相特性に影響を及ぼす増幅器の台数に応じて色位相を補正することができる。
【００５０】
【発明の効果】
請求項１の発明は、カラー映像信号をＦＭ変調したＦＭ映像信号を送信するＦＭ映像送信器と、前記ＦＭ映像信号を中継増幅する増幅部を有する増幅器と、前記ＦＭ映像信号を受信してカラー映像信号にＦＭ復調するＦＭ映像受信器とを有するＦＭカラー映像伝送システムにおいて、前記増幅器は、ＦＭ映像信号を中継増幅する中継増幅器、及びＦＭ映像信号を中継増幅して中継増幅器とＦＭ映像受信器とに直流電源を供給する電源部を有する中央制御器であり、前記ＦＭ映像受信器は、増幅器の挿入により発生するカラー映像信号の色位相回転の方向と逆方向に、増幅器の台数に応じて色位相を補正する色位相制御部を備えることを特徴とし、カラーのＦＭ映像信号を縦続接続した複数の中継増幅器により増幅して伝送する場合に、増幅器の振幅特性及び位相特性からなる通過特性により発生する色位相ずれを補正して、カラー映像信号の色位相を各色の許容範囲内に収めることができ、原画像と同様の自然な色を再現することができるという効果がある。
【００５１】
請求項２の発明は、請求項１の発明において、色位相制御部は、増幅器の挿入により発生するカラー映像信号の色位相回転の方向と逆方向に、予めシステムの１幹線に挿入される増幅器の最大台数に応じて色位相を一定量補正することを特徴とし、カラーのＦＭ映像信号を縦続接続した複数の中継増幅器により増幅して伝送する場合に、増幅器の挿入最大台数に応じて、増幅器の振幅特性及び位相特性からなる通過特性により発生する色位相ずれを補正して、カラー映像信号の色位相を各色の許容範囲内に収めることができ、原画像と同様の自然な色を再現することができるという効果がある。
【００５２】
請求項３の発明は、請求項１の発明において、ＦＭ映像受信器は、施工者が増幅器の台数を入力する台数入力部を備え、色位相制御部は、増幅器の挿入により発生するカラー映像信号の色位相回転の方向と逆方向に、前記台数入力部により入力された増幅器の台数に応じて色位相を一定量補正することを特徴とし、施工現場または幹線によって異なる増幅器の挿入台数に応じて、各ＦＭ映像受信器での色位相の調整が可能になるという効果がある。
【００５３】
請求項４の発明は、請求項１の発明において、中央制御器は、施工者が増幅器の台数を入力する台数入力部と、前記増幅器の台数を報知するコマンドを送信するコマンド送信部とを備え、ＦＭ映像受信器は、増幅器の台数を報知するコマンドを受信するコマンド受信部を備え、色位相制御部は、増幅器の挿入により発生するカラー映像信号の色位相回転の方向と逆方向に、前記ＦＭ映像受信器のコマンド受信部で受信した増幅器の台数を報知するコマンドにより報知された増幅器の台数に応じて色位相を一定量補正することを特徴とし、色位相補正のための操作が中央制御器１箇所で実施でき、施工者の手間を省くことができるという効果がある。
【００５４】
請求項５の発明は、請求項１の発明において、中央制御器は、中継増幅器及びＦＭ映像受信器に供給している直流電源の電流量を検知する供給電流量検知部と、前記電流量により検出した中継増幅器の台数に基づいた増幅器の台数を報知するコマンドを送信するコマンド送信部とを備え、ＦＭ映像受信器は、増幅器の台数を報知するコマンドを受信するコマンド受信部を備え、色位相制御部は、増幅器の挿入により発生するカラー映像信号の色位相回転の方向と逆方向に、前記ＦＭ映像受信器のコマンド受信部で受信した増幅器の台数を報知するコマンドにより報知された増幅器の台数に応じて色位相を一定量補正することを特徴とし、中央制御器が増幅器の挿入台数を検出し、自動で全てのＦＭ映像受信器に送信することから、施工者による色位相補正の操作を不要とすることができるという効果がある。
【００５５】
請求項６の発明は、請求項１または５の発明において、中央制御器よりも後段に接続され、中継増幅器及びＦＭ映像受信器へ直流電源を供給するローカル電源とＦＭ映像信号を中継増幅する増幅部とを有して増幅器を構成する中継制御器を備え、前記中継制御器は、前記ローカル電源から中継増幅器及びＦＭ映像受信器に供給している電流量を検出する供給電流量検知部と、前記中央制御器または前段の中継制御器が送信する増幅器の台数を報知するコマンドを受信するコマンド受信部と、前記ローカル電源から供給している電流量により検出した中継増幅器の台数に基づいた増幅器の台数に前記中央制御器または前段の中継制御器が送信するコマンドが報知する増幅器の台数を加えた増幅器の台数を報知するコマンドを送信するコマンド送信部とを備えることを特徴とし、中央制御器が直流電源を供給しない中継制御器及び中継増幅器が接続された場合でも、各ＦＭ映像受信器は、自機が直流電源の供給を受ける中継制御器より前段の増幅器の台数と、自機が直流電源の供給を受ける中継制御器及び自機が直流電源の供給を受ける中継制御器が直流電源を供給している中継増幅器の合計台数に基づいて色位相を補正するので、自機の色位相特性に影響を及ぼす増幅器の台数により近い増幅器の台数を勘案することができ、増幅器の総数に基づいて色位相を補正する場合よりも、より正確に色位相の補正を行うことができるという効果がある。
【００５６】
請求項７の発明は、請求項１の発明において、中央制御器は、増幅器の台数は１台であることを報知するコマンドを送信するコマンド送信部を備え、中継増幅器は、中央制御器または前段の中継増幅器が送信する増幅器の台数を報知するコマンドを受信するコマンド受信部と、コマンド受信部にて受信したコマンドにより報知された増幅器の台数に１を加えた台数を報知するコマンドを送信するコマンド送信部とを備え、ＦＭ映像受信器は、増幅器の台数を報知するコマンドを受信するコマンド受信部を備え、色位相制御部は増幅器の挿入により発生するカラー映像信号の色位相回転の方向と逆方向に、前記ＦＭ映像受信器のコマンド受信部で受信した増幅器の台数を報知するコマンドにより報知された増幅器の台数に応じて色位相を一定量補正することを特徴とし、各ＦＭ映像受信器は、中央制御器から自機に至るまでに挿入されている増幅器の台数を正確に把握することができ、自機の色位相特性に影響を及ぼす増幅器の台数に基づいて正確に色位相を補正することができるという効果がある。
【図面の簡単な説明】
【図１】実施形態１の構成を示す図である。
【図２】実施形態２のＦＭ映像受信器の構成を示す図である。
【図３】実施形態３の構成を示す図である。
【図４】実施形態４の構成を示す図である。
【図５】実施形態５の構成を示す図である。
【図６】実施形態６の構成を示す図である。
【図７】実施例の構成を示す図である。
【図８】本発明のＦＭ映像信号増幅部の構成を示す図である。
【図９】実施例の動作を説明する図である。
【符号の説明】
２０  中央制御器
３０  中継増幅器
４０  ＦＭ映像受信器
４０２  ＦＭ復調部
４０６  色位相制御部
【図１】
0003721956.tif 000002
【図２】
0003721956.tif 000003
【図３】
0003721956.tif 000004
【図４】
0003721956.tif 000005
【図５】
0003721956.tif 000006
【図６】
0003721956.tif 000007
【図７】
0003721956.tif 000008
【図８】
0003721956.tif 000009
【図９】
0003721956.tif 000010